(57)【要約】【課題】幅寸法の調整が可能でありながらも強度及び造作材の取付性を向上し得る袖壁構造を提供する。【解決手段】全開状態とされた引戸３が納められる袖壁構造であって、前記引戸の幅方向に沿って伸縮自在とされた伸縮部材１４によって連結された一対の縦枠材１１，１２の両外側面１１ａ，１２ａ間の幅寸法が袖壁（１９）の幅寸法Ｗに応じた寸法となるように前記伸縮部材が伸長された状態で、これら一対の縦枠材とそれぞれ同厚さ寸法とされた上下の横桟材１５，１６が前記一対の縦枠材の上端部間及び下端部間に架設されるようにしてこれら縦枠材に固定されて袖壁下地体１０が形成され、この袖壁下地体の表裏（１０ａ，１０ｂ）のそれぞれに面材（１７，１８）がそれぞれ固定された構造とされている。【選択図】図１
2013142245.tif 000002
【特許請求の範囲】
【請求項１】
全開状態とされた引戸が納められる袖壁構造であって、
前記引戸の幅方向に沿って伸縮自在とされた伸縮部材によって連結された一対の縦枠材の両外側面間の幅寸法が袖壁の幅寸法に応じた寸法となるように前記伸縮部材が伸長された状態で、これら一対の縦枠材とそれぞれ同厚さ寸法とされた上下の横桟材が前記一対の縦枠材の上端部間及び下端部間に架設されるようにしてこれら縦枠材に固定されて袖壁下地体が形成され、この袖壁下地体の表裏のそれぞれに面材がそれぞれ固定された構造とされていることを特徴とする袖壁構造。
【請求項２】
請求項１において、
前記一対の縦枠材と同高さでかつ同厚さとされた中間縦枠材がこれら一対の縦枠材間に更に設けられ、隣り合う縦枠材同士が前記伸縮部材によってそれぞれ連結された構造とされており、前記上下の横桟材が隣り合う縦枠材の上端部間及び下端部間にそれぞれ架設されるようにしてこれら縦枠材にそれぞれ固定されて前記袖壁下地体が形成された構造とされていることを特徴とする袖壁構造。
【請求項３】
請求項１または２において、
前記伸縮部材は、前記縦枠材と同厚さとされ、かつ厚さ方向両側に開口する多数の中空筒状セルの集合体からなるハニカム状構造体であることを特徴とする袖壁構造。
【発明の詳細な説明】
【技術分野】
【０００１】
本発明は、全開状態とされた引戸が納められる袖壁構造に関する。
【背景技術】
【０００２】
従来の全開状態とされた引戸が納められる袖壁構造としては、袖壁幅寸法（引戸幅寸法）が一定ではないため、施工現場において発生した端材等を利用して、袖壁下地を形成し、その表裏面に石膏ボード等の壁面材を貼着して袖壁を形成する構造とされていた。このような構造では、端材の加工や袖壁下地の形成など施工現場において多くの作業が必要となり、施工性の改善が望まれていた。
例えば、下記特許文献１では、建築物の引戸を収納する引戸用小壁の施工方法が提案されている。この施工方法では、矩形状に予め組み立てられた軸組を、開口枠体の中方立に当接させて開口部に固定する。次いで、軸組と略同一の厚みとされた縦軸を、引戸の移動する左右方向に軸組に並べて開口枠体の外枠材に当接させて開口部に固定する。そして、これら左右方向に沿って並べられた軸組及び縦軸の表面及び裏面にそれぞれボードを貼り付けて引戸用小壁を施工する態様とされている。
【先行技術文献】
【特許文献】
【０００３】
【特許文献１】特開２００５−２２６３１３号公報
【発明の概要】
【発明が解決しようとする課題】
【０００４】
しかしながら、上記特許文献１に記載された引戸用小壁では、左右方向に沿って並べられる軸組と縦軸との間が中空となる。そのため、強度上の観点や、廻り縁や巾木等の造作材の取付性の観点等からは更なる改善が望まれていた。
【０００５】
本発明は、上記実情に鑑みてなされたものであり、幅寸法の調整が可能でありながらも強度及び造作材の取付性を向上し得る袖壁構造を提供することを目的としている。
【課題を解決するための手段】
【０００６】
上記目的を達成するために、本発明に係る袖壁構造は、全開状態とされた引戸が納められる袖壁構造であって、前記引戸の幅方向に沿って伸縮自在とされた伸縮部材によって連結された一対の縦枠材の両外側面間の幅寸法が袖壁の幅寸法に応じた寸法となるように前記伸縮部材が伸長された状態で、これら一対の縦枠材とそれぞれ同厚さ寸法とされた上下の横桟材が前記一対の縦枠材の上端部間及び下端部間に架設されるようにしてこれら縦枠材に固定されて袖壁下地体が形成され、この袖壁下地体の表裏のそれぞれに面材がそれぞれ固定された構造とされていることを特徴とする。
【０００７】
本発明においては、前記一対の縦枠材と同高さでかつ同厚さとされた中間縦枠材をこれら一対の縦枠材間に更に設け、隣り合う縦枠材同士を前記伸縮部材によってそれぞれ連結した構造とし、前記上下の横桟材を隣り合う縦枠材の上端部間及び下端部間にそれぞれ架設するようにしてこれら縦枠材にそれぞれ固定して前記袖壁下地体を形成した構造としてもよい。
また、本発明においては、前記伸縮部材を、前記縦枠材と同厚さとされ、かつ厚さ方向両側に開口する多数の中空筒状セルの集合体からなるハニカム状構造体としてもよい。
【発明の効果】
【０００８】
本発明に係る袖壁構造は、上述のような構成としたことで、幅寸法の調整が可能でありながらも強度及び造作材の取付性を向上させることができる。
【図面の簡単な説明】
【０００９】
【図１】（ａ）、（ｂ）は、いずれも本発明の一実施形態に係る袖壁構造の一例に用いられる袖壁下地体の一例を模式的に示し、（ａ）は、一部省略概略斜視図、（ｂ）は、一部分解概略斜視図である。
【図２】（ａ）、（ｂ）は、同袖壁構造の施工手順の一例をそれぞれ模式的に示す概略斜視図である。
【図３】（ａ）、（ｂ）は、いずれも同施工手順を模式的に示し、（ａ）は、図４（ｂ）に対応させた一部破断概略横断面図、（ｂ）は、一部破断概略正面図である。
【図４】（ａ）、（ｂ）は、いずれも同袖壁構造を模式的に示し、（ａ）は、一部破断概略正面図、（ｂ）は、（ａ）におけるＸ−Ｘ線矢視に対応させた一部破断概略横断面図である。
【図５】（ａ）、（ｂ）は、いずれも本発明の他の実施形態に係る袖壁構造の一例に用いられる袖壁下地体の一例を模式的に示し、（ａ）は、一部省略概略斜視図、（ｂ）は、一部分解概略斜視図である。
【図６】（ａ）、（ｂ）は、同袖壁構造の施工手順の一例をそれぞれ模式的に示す概略斜視図である。
【発明を実施するための形態】
【００１０】
以下に本発明の実施の形態について、図面に基づいて説明する。
なお、以下の各実施形態では、図４（ｂ）に示すＹ方向から見た状態を基準として、図４（ｂ）における上側を背面（裏面）側、下側を手前（表面）側として、その方向等を原則的に説明する。
【００１１】
図１〜図４は、第１実施形態に係る袖壁構造の一例を模式的に示す図である。
本実施形態に係る袖壁構造は、図４に示すように、全開状態とされた引戸３が納められる（引き込まれる）構造とされている。この袖壁構造は、建物内に設けられた開口部４（図３も参照）に、袖壁ユニット１（図１及び図２参照）を用いて形成された袖壁の下地（袖壁下地体）１０を配設した構造とされている。図例では、一枚からなる片引き式の引戸３を納める袖壁となる袖壁体１９を袖壁下地体１０によって形成した例を示している。
【００１２】
開口部４は、柱材や間柱、横桟（まぐさ）、飼木、床下地（乃至は床面）などの枠下地５によって正面視して略矩形状に形成されている（図３参照）。
この開口部４の内周面に沿うようにして、引戸３を建て付ける戸枠２が配設される。
開口部４の開口幅は、開口部４に配設された戸枠２に建て付けられる引戸３が開閉自在にスライドし得るように引戸３の戸幅及び戸枠２の厚さ（引戸３の戸幅と同方向に沿う厚さ）に応じて設定される。本実施形態のように袖壁納めで施工される片引き式の引戸３を例にすれば、開口部４の開口幅は、当該引戸３の戸幅の略２倍程度の幅寸法とされる。
【００１３】
戸枠２は、図例では、一対の縦枠２１，２２（戸先側縦枠２１及び戸尻側縦枠２２）と、これら縦枠２１，２２の上端部間に架設された上枠（鴨居）２０と、これら縦枠２１，２２間の略中央部に設けられた中間縦枠（中方立）２３とを備えている（図４も参照）。
上枠２０は、その下面側に、引戸３のスライド移動を案内する上吊レールや案内溝を長手方向に沿って有している。また、この上枠２０の戸先側部位は、開口部４の戸先側に形成される内壁７の壁厚に対応させた幅寸法（壁厚方向の寸法、見込み方向の寸法、前後寸法）とされた幅広部とされている。また、この上枠２０の戸尻側部位は、袖壁ユニット１を用いて形成される袖壁体１９の壁厚を加味して上記幅広部よりも幅の狭い幅狭部とされている。また、この上枠２０の幅広部と幅狭部とを区切る長手方向略中央部には、中方立２３の上端部が係合する切欠部が形成されている。
【００１４】
戸先側縦枠２１は、上枠２０の上記幅広部に応じた幅寸法（前後寸法）とされ、開口部４の戸先側の内側面に沿うように上下方向に沿って配設される。
戸尻側縦枠２２は、上枠２０の上記幅狭部に応じた幅寸法（前後寸法）とされ、開口部４の戸尻側（袖壁側）の内側面に沿うように上下方向に沿って配設される。これら戸先側縦枠２１及び戸尻側縦枠２２には、引戸３の戸先側端部及び戸尻側端部をそれぞれに受け入れる戸じゃくり溝が上下方向に沿って形成されている。
中方立２３は、開口部４の左右方向略中央位置において上下方向に沿って配設され、その壁厚方向に沿う幅寸法が、袖壁ユニット１を用いて形成される袖壁体１９の壁厚に応じた幅寸法とされている。この中方立２３の壁厚方向背面側端面には、引戸３の手前側表面３ａに摺るように接する隙間遮蔽部材（モヘア部材）が上下方向に沿って設けられている。
【００１５】
上記構成とされた戸枠２は、上枠２０の長手方向の各端面を、各縦枠２１，２２の上端部内側面に突き合わせ、これら縦枠２１，２２の上端部の外側面から木ねじ等の固定止具を捩じ込んで、上枠２０と各縦枠２１，２２とを連結するようにしてもよい。また、上枠２０の上記切欠部に中方立２３の上端部を係合させ、木ねじ等の固定止具を捩じ込んで、中方立２３を上枠２０に連結して、戸枠２を組み付けるようにしてもよい。
また、このように組み付けられた戸枠２は、図３に示すように、開口部４の内周面に沿わせるようにして固定される。図例では、開口部４の内周天面を構成するまぐさや横桟などの枠下地５に沿わせるようにして上枠２０を固定し、開口部４の内周両側面を構成する柱材などの枠下地５，５に沿わせるようにして一対の縦枠２１，２２をそれぞれ固定した例を示している。また、これら上枠２０及び一対の縦枠２１，２２は、各枠下地５に対して飼木などのスペーサー材６を介して固定された例を示している。
また、中方立２３の下端部は、床下地（または床材）などの枠下地５に固定するようにしてもよい。
【００１６】
引戸３は、上記構成とされた戸枠２にスライド自在に建て付けられる。本実施形態では、引戸３の上端部の両側端部にランナー部材３ｂ，３ｂを連結固定している。また、これらランナー部材３ｂ，３ｂを引戸３の戸幅方向に沿って走行自在に支持する走行案内部としての上吊レールを上枠２０に設け、引戸３が上吊式で開閉される構成とされている。なお、図示を省略しているが、床面には、引戸３のスライド移動をガイドするガイドピンが固定され、引戸３の下端面には、このガイドピンを受け入れる凹溝が形成されている。
なお、戸枠２としては、図例のような下枠を備えない上吊式の戸枠（三方枠）に限られない。例えば、引戸の下端部に戸車を設け、この戸車をガイドするレールを備えた下枠を更に備えた戸枠（四方枠）としてもよい。また、図例のような固定枠に限られず、ケーシング額縁を備えたいわゆるケーシング枠を戸枠として採用するようにしてもよい。
【００１７】
上記した引戸３が納められる袖壁体１９の形成に用いられる袖壁ユニット１は、図１（ａ）に示すように、一対の縦枠材１１，１２と、これら一対の縦枠材１１，１２を連結する伸縮部材１４と、を備えている。本実施形態では、袖壁ユニット１は、一対の縦枠材１１，１２の間に設けられた中間縦枠材１３を備えており、隣り合う縦枠材１１，１２，１３同士を伸縮部材１４，１４によって連結した構造とされている。図例では、一対の縦枠材１１，１２のうちの図示左側の縦枠材１１と中間縦枠材１３とを伸縮部材１４によって連結し、中間縦枠材１３と一対の縦枠材１１，１２のうちの図示右側の縦枠材１２とを伸縮部材１４によって連結した構造としている。
また、袖壁ユニット１は、図１（ｂ）に示すように、隣り合う縦枠材１１，１２，１３の上端部間及び下端部間にそれぞれ架設されるようにしてこれら縦枠材１１，１２，１３に固定される上下の横桟材１５，１５，１６，１６を備えている。
【００１８】
各縦枠材１１，１２，１３は、上下に長尺の角材状とされ、高さ寸法（長さ寸法）及び厚さ寸法（前後寸法）が同寸法とされており、本実施形態では、幅寸法（左右寸法）も同寸法とされている。これら縦枠材１１，１２，１３の高さ寸法は、当該袖壁ユニット１を用いて形成される袖壁（袖壁体）１９の高さ寸法に応じて、適宜、設定するようにしてもよい。または、これら縦枠材１１，１２，１３の長手方向一端（例えば、上端）側に、当該袖壁ユニット１を用いて形成される袖壁体１９の高さ寸法に応じて切断される余長部を設けておくようにしてもよい。このような余長部は、当該袖壁ユニット１を用いて形成される種々の袖壁（袖壁体１９）の高さに対応可能なように設けておくようにしてもよい。
【００１９】
伸縮部材１４，１４は、それぞれ同様の構成とされており、引戸３（図４参照）の幅方向（隣り合う縦枠材の対向方向）に沿って伸縮自在とされている。
これら伸縮部材１４，１４は、本実施形態では、各縦枠材１１，１２，１３と同厚さとされ、かつ厚さ方向両側に開口する多数の中空筒状セル１４ａの集合体からなるハニカム状構造体（コア材）１４，１４とされている（図３（ａ）及び図４（ｂ）も参照）。
これらハニカム状構造体１４，１４は、段ボール原紙やクラフト紙等の紙材を接着剤で重積接着して形成するようにしてもよい。また、このような紙材に、エポキシ樹脂等の補強用の樹脂を更に含浸させたものとしてもよい。その他、アルミ材等の金属系材料や硬質ポリ塩化ビニル樹脂、ポリプロピレン樹脂等の合成樹脂系材料から製されたものとしてもよい。
また、図例では、中空筒状セル１４ａを模式的に示しており、厚さ方向に見て菱形状とされた中空筒状セル１４ａを例示しているが、このような態様に限られない。中空筒状セル１４ａのセル形状としては、蜂の巣状のハニカム形状や方形状としてもよく、また、ＪＩＳ  Ａ６９３１に規定されているような円筒形状や、リブを平行に連続させたリブ形状、「く（Ｖ）」字状のような折り紙形状を連続させた折り紙形状等としてもよい。
【００２０】
また、本実施形態では、これらハニカム状構造体１４，１４は、各縦枠材１１，１２，１３の上下端部にそれぞれ固定される上下の横桟材１５，１６の組み付け代を残すようにして、それぞれの幅方向両側端部が各縦枠材１１，１２，１３の対向側面に固定されている。つまり、これらハニカム状構造体１４，１４のそれぞれの高さ寸法を、上下の横桟材１５，１６の幅寸法（上下寸法）に概ね相当する寸法を除いた各縦枠材１１，１２，１３の高さ寸法に応じた寸法としている。なお、上述のように各縦枠材１１，１２，１３に余長部を設けた場合には、該余長部の寸法を更に除いた寸法としてもよい。
【００２１】
上記のような構成により、上下の横桟材１５，１６を組み付けた状態では、図２（ａ）に示すように、隣り合う縦枠材１１，１３（１３，１２）及び上下の横桟材１５，１６によって区画された空間の略全体にハニカム状構造体１４（１４）が充填されるようにして配設された構成となる。
なお、各ハニカム状構造体１４，１４の両側端部と各縦枠材１１，１２，１３の各対向側面との固定態様としては、釘やねじ、タッカー、ステイプル等の固定止具や接着剤等の固定手段で固定する態様としてもよい。
【００２２】
上下の横桟材１５，１５，１６，１６は、図１（ｂ）に示すように、左右に長尺の角材状とされ、それぞれ厚さ寸法が各縦枠材１１，１２，１３の厚さ寸法と同寸法とされている。上横桟材１５，１５は、その上側面が各縦枠材１１，１２，１３の上端面と略同一平面状となるように隣り合う縦枠材１１，１２，１３にそれぞれ固定される。下横桟材１６，１６は、その下側面が各縦枠材１１，１２，１３の下端面と略同一平面状となるように隣り合う縦枠材１１，１２，１３にそれぞれ固定される。
また、本実施形態では、これら上下の横桟材１５，１５，１６，１６は、それぞれ幅寸法（上下寸法）及び長さ寸法（左右寸法）が同寸法とされた角材状の横桟用部材を適宜、切断することで形成される構成とされている。つまり、これら上下の横桟材１５，１５，１６，１６は、長さ寸法の調整が可能なように切断可能とされた横桟用部材を適宜の長さ寸法に切断して形成されている。なお、これら上下の横桟材１５，１５，１６，１６を形成する横桟用部材の長さ寸法を、袖壁（袖壁体１９）の幅調整に対応可能なように、その調整幅（調整度合い）に応じて適宜設定しておくようにしてもよい。また、これら上下の横桟材１５，１５，１６，１６は、袖壁ユニット１が備えている態様に限られず、施工現場等において適宜、調達されるものとしてもよい。
【００２３】
これら上下の横桟材１５，１５，１６，１６の長さ寸法（左右寸法）は、それぞれの両側端面が隣り合う縦枠材１１，１２，１３の対向側面に当接するように、隣り合う縦枠材１１，１２，１３間の寸法に応じた寸法とされている。
隣り合う縦枠材１１，１２，１３間の寸法は、一対の縦枠材１１，１２の両外側面１１ａ，１２ａ間の幅寸法が、袖壁体１９の幅寸法Ｗに応じた寸法となるように適宜、設定される。図例では、中間縦枠材１３が左右方向略中央に位置するように、この中間縦枠材１３と、一対の縦枠材１１，１２のそれぞれとの間を略等間隔とした例を示しているが、このような態様に限られない。例えば、この中間縦枠材１３を、図示右側の縦枠材１２に近接させた位置としたり、または、図示左側の縦枠材１１に近接させた位置としたりしてもよい。
【００２４】
また、これら上下の横桟材１５，１５，１６，１６は、一対の縦枠材１１，１２の両外側面１１ａ，１２ａ間の幅寸法が、袖壁となる袖壁体１９の幅寸法Ｗに応じた寸法となるように各ハニカム状構造体１４，１４が伸長された状態で、隣り合う縦枠材１１，１２，１３の上端部間及び下端部間にそれぞれ架設されるようにしてこれら縦枠材１１，１２，１３に固定される（図１（ｂ）及び図３参照）。このように上下の横桟材１５，１５，１６，１６が固定されて、図２（ａ）に示すように、袖壁下地体１０が形成される。なお、これら上下の横桟材１５，１５，１６，１６と各縦枠材１１，１２，１３との固定態様としては、上記同様の固定手段で固定する態様としてもよい。
【００２５】
なお、上記した各縦枠材１１，１２，１３及び各横桟材１５，１６は、木質系材料から形成されたものとしてもよい。木質系材料としては、合板やＬＶＬ（単板積層材）等の木質積層板、パーティクルボード等の木質ボード、またはインシュレーションボードやＭＤＦ（中密度繊維板）等の木質繊維板などを採用するようにしてもよい。
本実施形態では、各縦枠材１１，１２，１３及び各横桟材１５，１６は、繊維方向を長手方向に沿わせたＬＶＬを角材状に加工して形成されている。このような構成とすることで、寸法安定性に比較的に優れ、強度ばらつきが比較的に少なくなるため、袖壁の下地として好適なものとなる。
また、各縦枠材１１，１２，１３及び各横桟材１５，１６は、上記した木質系材料以外のものから形成するようにしてもよい。例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。
【００２６】
また、本実施形態に係る袖壁構造は、袖壁下地体１０の表面１０ａ及び裏面１０ｂに面材１７，１８がそれぞれ固定されて袖壁となる袖壁体１９を形成した構造とされている（図２（ｂ）、図３及び図４参照）。これら表裏の面材１７，１８の袖壁下地体１０への固定は、上記同様の固定止具や接着剤等によって固定するようにしてもよい。また、面材１７，１８としては、無垢材や上記同様の木質系材料、無機質系材料、合成樹脂系材料等を板状に加工したものとしてもよい。また、それぞれの外側表面に、合成樹脂化粧シートや化粧紙、クロス等の化粧シートまたは突板等の表面化粧材を貼着するようにしてもよい。本実施形態では、これら面材１７，１８を、石膏ボードからなるものとしている。
【００２７】
袖壁体１９は、図４（ｂ）に示すように、開口部４の戸尻側の内側面から戸先側に向けて突出するように配設され、背面側の面材（石膏ボード）１８に、引き込まれた状態の引戸３の手前側表面３ａが対面するように配設される。
本実施形態では、図３（ａ）に示すように、袖壁体１９の幅寸法Ｗを、開口部４の袖壁側（戸尻側）の枠下地５の内側面から中方立２３の袖壁側側面までの幅寸法と略同寸法としている。つまり、本実施形態では、袖壁体１９の一側端面１９ａ（図示左側の縦枠１１の外側面１１ａ）が、中方立２３の袖壁側側面に当接し、袖壁体１９の他側端面１９ｂ（図示右側の縦枠１２の外側面１２ａ）が開口部４の袖壁側枠下地内側面に当接するように、袖壁体１９の幅寸法を設定した例を示している。なお、袖壁側枠下地内側面としては、柱材等の枠下地の袖壁側内側面に限られず、飼木等のスペーサー材を枠下地として把握し、これの袖壁側内側面を、袖壁側枠下地内側面として把握するようにしてもよい。
【００２８】
また、この袖壁体１９の厚さ寸法は、建物内の内壁７自体の壁厚に応じて設定され、それに応じて袖壁下地体１０の厚さ寸法を、表裏１０ａ，１０ｂに固定される石膏ボード１７，１８の厚さを加味して設定するようにすればよい。つまりは、一般的な壁厚に応じて規定される袖壁の厚さ寸法に応じた寸法となるように、その表裏に固定される石膏ボード１７，１８の厚さ寸法を加味して、袖壁下地体１０の厚さ寸法を設定するようにしてもよい。
本実施形態では、袖壁下地体１０とその裏面１０ｂに固定された石膏ボード１８とを合わせた厚さ寸法を、図４（ｂ）に示すように、開口部４に固定された戸尻側縦枠２２の壁厚方向手前側端面から枠下地（内壁の下地ともなる下地）５の手前側表面までの壁厚方向の寸法と略同寸法としている。つまりは、袖壁下地体１０の裏面１０ｂに固定された石膏ボード１８の背面を戸尻側縦枠２２の壁厚方向手前側端面に当接させた状態で、この袖壁下地１０の手前側の表面１０ａが枠下地５の手前側表面と略同一平面状となるように形成されている。
【００２９】
次に、本実施形態に係る袖壁構造の施工手順の一例について説明する。
まず、上述したように組み付けた戸枠２を、開口部４に固定する（図３参照）。
次いで、袖壁（袖壁体１９）の幅寸法Ｗに応じた寸法となるように幅寸法を調整して組み付けた袖壁下地体１０の表裏１０ａ，１０ｂに、必要に応じて寸法調整した石膏ボード１７，１８を固定し、袖壁体１９を形成する（図１及び図２参照）。そして、この袖壁体１９を、開口部４の手前側から、開口部４の袖壁側枠下地内側面と、中方立２３の袖壁側側面とによって幅方向が区画された開口部４内に嵌め込むようにして開口部４内に配置する（図３（ａ）参照）。また、袖壁体１９の幅方向の各端部を、戸尻側縦枠２２及び中方立２３のそれぞれに当接させて、当該袖壁体１９を開口部４に固定する。このような施工態様によれば、戸枠２を開口部４に固定した後、開口部４の一方側（手前側）から袖壁体１９を容易に施工することができ、施工性を向上させることができる。
なお、この袖壁体１９の開口部４への固定は、戸枠２及び枠下地５の両方または一方に対して、上記同様の固定止具を用いて固定するようにしてもよい。
【００３０】
また、開口部４の周囲の壁下地に、内壁７を形成する石膏ボード等の壁面材８を固定する（図４（ｂ）参照）。このように壁面材８を固定した状態では、袖壁体１９の表面側の石膏ボード１７と、これに隣接する壁面材８とが、連なるように略面一状となる。そして、必要に応じて、袖壁体１９の手前面及び背面並びに各壁面材８の表面に壁クロス等の表面化粧材を貼着するようにしてもよい。この状態では、図４に示すように、開口部４の戸尻側には、引戸３のスライドスペース（走行スペース）の手前側に位置するように、袖壁体１９によって袖壁が形成される。一方、開口部４の戸先側には、引戸３によって開閉される出入り口としての開口が形成される。そして、適宜、引戸３を、戸枠２に対して建て付けることで、袖壁納めの引戸構造となる。
また、図４に示すように、袖壁体１９の手前面の下端部及び各壁面材８の下端部に巾木９を固定するようにしてもよい。
【００３１】
なお、上記施工手順は一例に過ぎず、各部材の機能を阻害しない限りにおいて別手順で行うようにしてもよい。上記した例では、袖壁下地体１０の表裏１０ａ，１０ｂのそれぞれに石膏ボード１７，１８を固定して袖壁体１９を形成した後に、開口部４に配設する態様を例示しているが、このような態様に限られない。例えば、背面側の石膏ボード１８のみを袖壁下地体１０の裏面１０ｂに固定し、開口部４に配設した後に、手前側の石膏ボード１７を固定する態様としてもよい。このような態様によっても上記同様の効果を奏する。または、袖壁下地体１０を開口部４に配設した後に、その表裏１０ａ，１０ｂのそれぞれに石膏ボード１７，１８を固定する態様としてもよい。これらの場合には、袖壁下地体１０の表面１０ａ側に固定する石膏ボードを、壁面材８によって一連状に構成する態様としてもよい。つまりは、袖壁下地体１０に応じた寸法の石膏ボード１７を表面１０ａに固定する態様に代えて、内壁７を形成する壁面材８によって袖壁下地体１０の表面１０ａ側の面材を構成するようにしてもよい。
【００３２】
また、上記した例では、上下の横桟材１５，１５，１６，１６を組み付けて袖壁下地体１０を形成した後に、開口部４に配設する態様を例示しているが、このような態様に限られない。例えば、背面側の石膏ボード１８を戸枠２等に固定して配設した後に、この石膏ボード１８の表面側に沿わせるようにして、ハニカム状構造体１４，１４によって連結された各縦枠材１１，１２，１３を配設する態様としてもよい。この場合は、一対の縦枠材１１，１２の両外側面１１ａ，１２ａを、中方立２３の袖壁側側面及び開口部４の袖壁側枠下地内側面にそれぞれ当接させ、各縦枠材１１，１２，１３を、戸枠２及び枠下地５の両方または一方に対して、上記同様の固定止具を用いて固定するようにしてもよい。そして、隣り合う縦枠材１１，１２，１３の上端部間及び下端部間に、上記のように寸法調整した各横桟材１５，１５，１６，１６を架設するようにして固定する態様としてもよい。このような施工態様によれば、予め固定された戸枠２に対して、各縦枠材１１，１２，１３間のハニカム状構造体１４，１４を伸縮させてこれら各縦枠材１１，１２，１３を固定することができるので、予め幅調整する必要がなく、施工性を向上させることができる。
【００３３】
上記構造とされた袖壁構造によれば、幅寸法の調整が可能でありながらも強度及び造作材の取付性を向上させることができる。
つまり、袖壁下地体１０を構成する一対の縦枠材１１，１２の両外側面１１ａ，１２ａ間の幅寸法を、これらを連結する伸縮部材（ハニカム状構造体）１４，１４を伸長させて袖壁（袖壁体）１９の幅寸法Ｗに応じた幅寸法とすることができる。従って、袖壁体１９を構成する袖壁下地体１０の幅寸法を調整することができ、種々の幅寸法の袖壁に対応することができる。
また、一対の縦枠材１１，１２が引戸３の幅方向に沿って伸縮自在とされた伸縮部材（ハニカム状構造体）１４，１４によって連結された構造であるので、施工時等における取り扱い性を向上させることができる。また、これら一対の縦枠材１１，１２間の伸縮部材（ハニカム状構造体）１４，１４を収縮させた状態とすることで、袖壁下地体１０を構成する部材をコンパクトにすることができ、保管や運搬等の際における取り扱い性を向上させることもできる。
【００３４】
また、一対の縦枠材１１，１２と同厚さとされた上下の横桟材１５，１６を、一対の縦枠材１１，１２の上端部間及び下端部間に架設するようにしてこれら縦枠材１１，１２に固定した構造としている。従って、袖壁下地体１０の上端部及び下端部における強度を向上させることができ、当該袖壁下地体１０によって形成される袖壁体１９自体の強度を向上させることができる。また、袖壁体１９の上端部及び下端部に、例えば、廻り縁や巾木９等の造作材を取り付ける際に、これら上下の横桟材１５，１６を取付下地とすることができるので、造作材の取付性を向上させることができる。また、このような取付下地を別途、配設するような場合と比べて、施工性を向上させることができる。
また、本実施形態では、一対の縦枠材１１，１２の間に中間縦枠材１３を設けた構造としているので、袖壁体１９の強度をより向上させることができる。
【００３５】
また、本実施形態では、隣り合う縦枠材１１，１２，１３を連結する伸縮部材をハニカム状構造体１４，１４としている。従って、袖壁体１９の略全面に亘って厚さ方向に沿う強度を向上させることができる。また、例えば、リンク状部材等の連結金具によって幅方向に伸縮させる構造とした場合と比べて、構造の簡略化が図れるとともに軽量化を図ることができる。
さらに、本実施形態では、袖壁体１９の幅方向一端部の背面が戸尻側縦枠２２の壁厚方向手前側端面に当接するように袖壁体１９を配設した構造としている。従って、袖壁体１９の背面側の石膏ボード１８の一側部が直線状に切断されていないような場合にも、戸尻側縦枠２２によって、その一側部が隠蔽されて露出せず見栄えを阻害することがない。換言すれば、袖壁体１９の背面側の石膏ボード１８の一側部側を、精度良く加工する必要がなく、袖壁の施工性をより向上させることができる。
【００３６】
次に、本発明に係る他の実施の形態について、図面を参照しながら説明する。
図５及図６は、第２実施形態に係る袖壁構造に用いられる袖壁ユニット及びこれにより形成される袖壁下地体を模式的に示す図である。
なお、上記第１実施形態との相違点について主に説明し、同様の構成については、同一符号を付し、その説明を省略または簡略に説明する。また、施工手順についても上記第１実施形態と略同様であるので、その説明を省略または簡略に説明する。
【００３７】
本実施形態に係る袖壁構造に用いられる袖壁ユニット１Ａは、隣り合う縦枠材１１，１２，１３同士を連結する伸縮部材の構成が、上記第１実施形態とは異なる。
本実施形態では、図５に示すように、伸縮部材は、引戸３（図４参照）の幅方向に沿って折り畳み展開自在とされた一対のリンク状部材１４ｃ，１４ｃを備えた伸縮ユニット１４Ａとされている。これら一対のリンク状部材１４ｃ，１４ｃによって隣り合う縦枠材１１，１２，１３同士を同幅方向に沿って伸縮自在に連結した構造とされている。
これら一対のリンク状部材１４ｃ，１４ｃは、それぞれ長さ寸法が同寸法とされたアーム状とされている。また、これら一対のリンク状部材１４ｃ，１４ｃは、それぞれの長手方向一端部が重ね合わせられるようにして互いに回動自在に連結された構造とされている。また、これら一対のリンク状部材１４ｃ，１４ｃの各長手方向他端部が、隣り合う縦枠材１１，１２，１３の各対向側面に回動自在に連結された構造とされている。
【００３８】
また、本実施形態では、これら一対のリンク状部材１４ｃ，１４ｃを、隣り合う縦枠材１１，１２，１３間に上下に間隔を空けてそれぞれ複数組（図例では、二組）設けた例を示している。また、これら各組の一対のリンク状部材１４ｃ，１４ｃ，１４ｃ，１４ｃの各重ね合わせ部位（長手方向一端部）同士を連結する連結部材１４ｂを設けた例を示している。この連結部材１４ｂは、アーム状とされ、その長手方向に沿って間隔を空けて適宜の部位（図例では、長手方向両端部）が、上記各重ね合わせ部位にそれぞれ回動自在に連結された構造とされている。このような構成とすることで、伸縮ユニット１４Ａ，１４Ａによって連結された各縦枠材１１，１２，１３を、幅方向に沿って伸縮させる際に、各縦枠材１１，１２，１３を互いに略平行に維持した状態で伸縮させることができる。なお、伸縮ユニット１４Ａを構成する連結部材１４ｂ及び一対のリンク状部材１４ｃ，１４ｃは、金属系材料等から形成されたものとしてもよい。
【００３９】
また、本実施形態においても、上記第１実施形態と同様、図５（ｂ）に示すように、上下の横桟材１５，１５，１６，１６が隣り合う縦枠材１１，１２，１３の上端部間及び下端部間に架設されるようにしてそれぞれ固定される。また、袖壁ユニット１Ａによって形成された袖壁下地体１０Ａの表裏１０ａ，１０ｂには、図６に示すように、面材（石膏ボード）１７，１８がそれぞれ固定され、袖壁体１９Ａが形成される袖壁構造とされている。
上記構成とされた本実施形態に係る袖壁構造においても上記第１実施形態と概ね同様の効果を奏する。
なお、伸縮ユニット１４Ａとしては、上記のような一対のリンク状部材１４ｃ，１４ｃを備えたものに限られない。例えば、四本のリンク状部材を連結したパンタグラフ状のものとしてもよく、その他、隣り合う縦枠材１１，１２，１３同士を引戸３の幅方向に沿って伸縮自在に連結し得る構造のものであればどのような伸縮部材を採用するようにしてもよい。
【００４０】
また、上記した例では、袖壁下地体１０（１０Ａ）の高さ寸法と、その表裏１０ａ，１０ｂのそれぞれに固定される石膏ボード１７，１８の高さ寸法を略同寸法とした例を示しているが、このような態様に限られない。例えば、袖壁下地体１０（１０Ａ）の高さを背面側の石膏ボード１８よりも上方に突出するものとし、この石膏ボード１８の上端面が上枠２０の下面に当接するように、石膏ボード１８の高さ寸法を設定するようにしてもよい。
さらに、上記した例では、袖壁下地体１０（１０Ａ）の高さ寸法を開口部４の開口高さに応じた寸法とした例を示しているが、このような態様に限られず、少なくともその上端部が上枠２０の一部に正面視して重合するような高さ寸法とすればよい。この場合は、この袖壁下地体１０（１０Ａ）または袖壁体１９（１９Ａ）の上端部を上枠２０に対して固定するようにしてもよい。
さらにまた、図例では、開口部４の上側に垂れ壁を形成するように開口部４を設けた例を示しているが、床面から天井面に略至る高さ寸法とされた開口部４に袖壁下地体１０（１０Ａ）または袖壁体１９（１９Ａ）を配設する態様としてもよい。
【００４１】
また、上記した例では、袖壁体１９（１９Ａ）の幅方向の各端面１９ａ，１９ｂを、開口部４の袖壁側枠下地内側面及び中方立２３の袖壁側側面に当接させて、開口部４に固定した例を示しているが、このような態様に限られない。例えば、袖壁体１９（１９Ａ）の幅方向の一端部の端面を、中方立２３の袖壁側側面に当接させ、幅方向の他端部を、戸尻側縦枠２２に当接させるようにしてもよい。この場合、その他端部の背面側の表面を、戸尻側縦枠２２の手前側端面に当接させるようにしてもよく、その他端部の端面を、戸尻側縦枠２２の内方側（戸先側）側面に当接させるようにしてもよい。
さらに、上記した例では、片引きの一枚の引戸３を納める袖壁となる袖壁体１９（１９Ａ）を開口部４に設けた例を示しているが、このような態様に限られない。複数枚の引戸を納めるものとしてもよく、また、両引き（引き分け）の引戸を納める袖壁として、開口部の両側に、各実施形態に係る袖壁体１９（１９Ａ）をそれぞれ設けるようにしてもよい。
【００４２】
さらにまた、上記した例では、一対の縦枠材１１，１２の間に一本の中間縦枠材１３を設けた例を示しているが、複数本の中間縦枠材を設けるようにしてもよい。この場合には、縦枠材の本数に応じた伸縮部材１４（１４Ａ）を設けるようにすればよい。また、各横桟材１５，１６の長さ寸法を適宜、調整するようにしてもよい。さらには、このような中間縦枠材１３を設けないようにしてもよい。この場合は、一対の縦枠材１１，１２を、伸縮部材１４（１４Ａ）によって連結するようにすればよい。また、上記同様、各横桟材１５，１６の長さ寸法を適宜、調整するようにしてもよい。
また、上下の横桟材１５，１６に加えて、上下方向の途中部位に更に単一または複数本の横桟材を設けるようにしてもよい。この場合は、伸縮部材１４（１４Ａ）を適宜、上下に分割するようにすればよい。
【符号の説明】
【００４３】
３              引戸
１０，１０Ａ    袖壁下地体
１０ａ          袖壁下地体の表面
１０ｂ          袖壁下地体の裏面
１１，１２      縦枠材
１１ａ，１２ａ  外側面
１３            中間縦枠材
１４            ハニカム状構造体（伸縮部材）
１４Ａ          伸縮ユニット（伸縮部材）
１５            上横桟材
１６            下横桟材
１７，１８      石膏ボード（面材）
１９，１９Ａ    袖壁体（袖壁）
Ｗ              袖壁の幅寸法
【図１】
2013142245.tif 000003
【図２】
2013142245.tif 000004
【図３】
2013142245.tif 000005
【図４】
2013142245.tif 000006
【図５】
2013142245.tif 000007
【図６】
2013142245.tif 000008